(57)【要約】【課題】  携帯型機器の収納作業を容易にし、収納作業が容易であるにも拘らず収納した携帯型機器の脱落を確実に防止する。【解決手段】  メインボディ１５２の一側面で回動自在に支持されて正面にまで回り込む開閉自在のフロントカバー１５５を有し、フロントカバー１５５の先端部とメインボディ１５２との間に印字済み用紙発行用の発行口１５７を形成する携帯型プリンタ１５１を収納対象物とし、メインボディ１５２の上面を覆う上カバー部材１０２とメインボディ１５２の下面を覆う下カバー部材１０３とをメインボディ１５２の裏面を覆うメインカバー部材１０４の上下縁で連結する。メインカバー部材１０４の一端側にはメインボディ１５２の一側面に回り込む抜け止め部１０５を設け、他端側にはメインボディ１５２の一側面と反対側の他側面側からメインボディ１５２の正面側のフロントカバー１５５に達しない位置まで回り込む収納保持部１０６を設ける。【選択図】    図９
2007167281.tif 000002
【特許請求の範囲】
【請求項１】
メインボディと、このメインボディの一側面で回動自在に支持されて正面一部領域にまで回り込む開閉自在のフロントカバーと、このフロントカバーの先端部と前記メインボディとの間に形成された印字済み用紙発行用の発行口と、有する携帯型プリンタを着脱自在に収納する携帯型プリンタ収納ケースにおいて、
前記メインボディの上面を覆う上カバー部材と、
前記メインボディの下面を覆う下カバー部材と、
一端側に前記メインボディの前記一側面に回り込む抜け止め部を有し、他端側に前記メインボディの前記一側面と反対側の他側面側から前記メインボディの正面側の前記フロントカバーに達しない位置まで回り込む収納保持部を有し、上下縁が前記上カバーと前記下カバーとに連結され、前記抜け止め部と前記収納保持部との間の領域に開口部を形成して前記メインボディの裏面を覆うメインカバー部材と、
を備える携帯型プリンタ収納ケース。
【請求項２】
前記メインボディの正面を露出させる前記開口部の部分で前記上カバーと前記下カバーとの間に掛け渡される抜け止めストラップを備える、請求項１記載の携帯型プリンタ収納ケース。
【請求項３】
前記メインボディの上面に配置された操作部を露出させるように、前記上カバーの一部には前記開口部に連絡する第１の切欠部が形成されている、請求項１又は２記載の携帯型プリンタ収納ケース。
【請求項４】
前記メインボディの前記他側面側の上面に配置されたバッテリカバーを露出させるように、前記上カバーと前記メインカバーの収納保持部との一部には第２の切欠部が形成されている、請求項１ないし３のいずれか一記載の携帯型プリンタ収納ケース。
【請求項５】
肩掛け用のストラップを着脱自在に取り付けるための一対のフックを備える、請求項１ないし４のいずれか一記載の携帯型プリンタ収納ケース。
【請求項６】
前記一対のフックは、前記抜け止め部を上にした第１の体勢で前記ストラップを上部両側に着脱自在とする位置と、前記上カバーを上にした第２の体勢で前記ストラップを上部両側に着脱自在とする位置とにそれぞれ設けられている、請求項５記載の携帯型プリンタ収納ケース。
【請求項７】
縦長形状を有するハンディーターミナルを上面開口部から縦長状態で着脱自在に収納するハンディーターミナル収納ケースと、
前記第１の体勢で、前記ハンディーターミナル収納ケースをその上面開口部を上にした状態で前記下カバー部材に着脱自在に保持する第１のハンディーターミナル保持部と、
前記第２の体勢で、前記ハンディーターミナル収納ケースをその上面開口部を上にした状態で前記抜け止め部に着脱自在に保持する第２のハンディーターミナル保持部と、
を備える、請求項６記載の携帯型プリンタ収納ケース。
【請求項８】
ロール状用紙を一面開口部から着脱自在に収納するロール状用紙収納ケースと、
前記ロール状用紙収納ケースを前記収納保持部に着脱自在に保持するロール紙保持部を備える、請求項６又は７記載の携帯型プリンタ収納ケース。
【発明の詳細な説明】
【技術分野】
【０００１】
本発明は、小型で携帯が可能な携帯型プリンタを携えたり身に着けたりする際に供される携帯型プリンタ収納ケースに関する。
【背景技術】
【０００２】
配送や流通などの各種分野で携帯型プリンタが用いられている。携帯型プリンタの一例として、印刷記録媒体となる長尺状の紙がロール状に巻かれたロール状用紙を内部に収納するものが知られている。ロール状用紙のプリンタ内部に対する収納は、開閉自在な蓋体を開けて行われる。そして、プリンタ内部に収納されたロール状用紙の外周側の端部は、やはり内部に設けられている印字部によって所定の印字が行われた後、その発行口から外部へと排出される。
【０００３】
このような携帯型プリンタは、ハンディーターミナルと共に作業現場まで携行され、ハンディーターミナルから無線送信されたデータに基づいてロール状用紙に対して所定の印刷を行って伝票やラベル等の発行を行なう。
【０００４】
このように携帯型プリンタは、作業を行う現場まで作業者によって携行され、その作業現場で行われる様々な作業に伴って様々な作業体勢を取る作業者に携帯されたままの状態でその場で適宜印字を行うことが多い。そこで、従来、作業者が携帯型プリンタを携帯して作業し易いように、携帯型プリンタを収納して作業者が装着することができるケースが提案されている（特許文献１）。
【０００５】
特許文献１に記載されている携帯プリンタ収納ケース１０は、上面を全面開放するように形成された開口部から携帯プリンタ３０が落とし込まれるように挿入される。携帯プリンタ３０が挿入された開口部は、相対向するように設けられてお互いに重なり合うように順を追って閉じられる内蓋１３、外蓋１１によって塞がれる。そして、携帯プリンタ３０を収納した収納ケース１０は、その背面に設けられたベルト通しに作業者が締めているベルトを通すことによって作業者の腰に保持される。
【０００６】
また、この収納ケース１０には、携帯プリンタ３０を収納したままの状態で、蓋３１の開閉によるロール紙３７（ロール状用紙）の着脱作業、電池収納蓋３５の開閉によるバッテリの着脱作業を行なうことができるように、第１の開口部１７、第２の開口部１９が形成されている。更に、この収納ケース１０には、収納した携帯プリンタ３０の対外部電子機器用無線通信インタフェースを露呈させる為に第４の開口部２１が形成されている。尚、本出願明細書中の特許文献１に記載された携帯プリンタ収納ケースに関する説明において用いた各部の名称や符号等は、特許文献１に記載されているものである。
【０００７】
【特許文献１】特開２００２−１９９９２５
【発明の開示】
【発明が解決しようとする課題】
【０００８】
特許文献１に記載された携帯プリンタ収納ケース１０では、携帯プリンタ３０が挿入された開口部を塞ぐ為に、内蓋１３を閉じ、この閉じた内蓋１３をジャンパボタン１６−１，１６−２で止め、更に外蓋１１を閉じ、この閉じた外蓋１１をスナップボタン１２−１，１２−２で止める、という作業が要求される。また、この携帯プリンタ収納ケース１０では、携帯プリンタ３０が落とし込まれるように挿入される上面の開口に臨むように設けられている内蓋１３、外蓋１１がその自重によって自然に閉じられ易い為、携帯プリンタ３０を収納する際に内蓋１３、外蓋１１が開放状態を維持するように手で支えておかなければならない。以上のように、特許文献１に記載された携帯プリンタ収納ケース１０は、携帯型プリンタの携帯プリンタ収納ケースに対する収納作業が煩雑であるという問題を有している。
【０００９】
また、特許文献１に記載された携帯プリンタ収納ケース１０においては、上面の開口部から収納された携帯プリンタ３０が当該開口部から飛び出してしまうことを防止する為に閉じられて嵌着される外蓋１１が覆う領域を、携帯プリンタ３０が挿入される上面の開口部までに留めないで、更に開口部内に収納されている携帯プリンタ３０の蓋３１の上部（第１の開口部１７の上部）までとすることにより、上面の開口部から収納した携帯プリンタ３０がロール紙３７の着脱作業の為に正面に設けられた第１の開口部１７から抜け落ちてしまうことを防止している。
【００１０】
しかしながら、このように外蓋１１によって第１の開口部１７の上部を上方から覆ってしまうと、収納されている携帯プリンタ３０に対してロール紙３７の着脱作業を行う際に開けられる蓋３１の開放が外蓋１１によって阻害されてしまう。このようなことを避ける為には、第１の開口部１７を覆っている外蓋１１は、ロール紙３７の着脱作業時に開けられる蓋３１の開放に先立って必然的に開けられなければならない。
【００１１】
そこで、特許文献１に記載された携帯プリンタ収納ケース１０では、その外蓋１１の開放後に携帯プリンタ３０の蓋３１の開放を行うという開放作業の二度手間を防止してロール状用紙交換の作業性を向上させる為、外蓋１１を蓋３１の開放に先立って別に開けなくとも蓋３１の開放に伴って外蓋１１も開放できるように、外蓋１１の嵌着部を第１の開口部１７が形成されている正面に設けると共に更にその嵌着力を弱めとしている。ところが、このように外蓋１１の嵌着力を弱めとしてしまうと、作業途中に何らかのものが外蓋１１に接触し、その拍子に外蓋１１が開いてしまう危険がある。特に外蓋１１の嵌着部が設けられた正面は、作業者が無意識のうちに作業途中に触れ易く、その危険性が高い。すなわち、特許文献１に記載された携帯プリンタ収納ケース１０は、外蓋１１の閉鎖による携帯プリンタ３０開口部からの飛び出し防止には依然として解決すべき問題が残されている。
【００１２】
そこで、本発明の目的は、収納対象物である携帯型プリンタの収納作業を容易にし、収納作業が容易であるにも拘らず、収納した携帯型プリンタの脱落を確実に防止することができる携帯型プリンタ収納ケースを提供することにある。
【課題を解決するための手段】
【００１３】
本発明は、メインボディと、このメインボディの一側面で回動自在に支持されて正面一部領域にまで回り込む開閉自在のフロントカバーと、このフロントカバーの先端部と前記メインボディとの間に形成された印字済み用紙発行用の発行口と、有する携帯型プリンタを着脱自在に収納する携帯型プリンタ収納ケースにおいて、前記メインボディの上面を覆う上カバー部材と、前記メインボディの下面を覆う下カバー部材と、一端側に前記メインボディの前記一側面に回り込む抜け止め部を有し、他端側に前記メインボディの前記一側面と反対側の他側面側から前記メインボディの正面側の前記フロントカバーに達しない位置まで回り込む収納保持部を有し、上下縁が前記上カバーと前記下カバーとに連結され、前記抜け止め部と前記収納保持部との間の領域に開口部を形成して前記メインボディの裏面を覆うメインカバー部材と、を備える。
【発明の効果】
【００１４】
本発明に係る携帯型プリンタ収納ケースによれば、大きく開いた開口部から携帯型プリンタを着脱自在に収納することができ、収納後の携帯型プリンタを収納保持部で収納して抜け止め部で抜け止めすることができるので、携帯型プリンタの収納作業を容易にすることができ、収納作業が容易であるにも拘らず収納した携帯型プリンタの脱落を確実に防止することができる。
【発明を実施するための最良の形態】
【００１５】
本発明の実施の一形態を図１ないし図１１に基づいて説明する。
【００１６】
本発明の実施の一形態においては、プリンタ用ケース１０１が本発明に係る携帯型プリンタ収納ケースの本体に相当する。このプリンタ用ケース１０１には、ハンディーターミナル収納ケース２０１、ロール状用紙収納ケース３０１が着脱自在に設けられる。これら三点からなるケースを、本発明の実施の一形態においては、携帯型機器収納ケース５１と称する。
【００１７】
図１は、携帯型機器収納ケース５１における二通りの使用形態（（a）、（ｂ））と各部（プリンタ用ケース１０１、ハンディーターミナル収納ケース２０１、ロール状用紙収納ケース３０１）を模式的に示したものである。
【００１８】
携帯型機器収納ケース５１は、収納対象物である携帯型機器として、携帯型プリンタ１５１及びハンディーターミナル２５１を収納保持する。また、携帯型プリンタ１５１に使用される消耗品として、ロール状用紙３５１をも収納保持する。携帯型機器収納ケース５１の収納対象物である携帯型プリンタ１５１、ハンディーターミナル２５１、ロール状用紙３５１の夫々は、プリンタ用ケース１０１、ハンディーターミナル収納ケース２０１、ロール状用紙収納ケース３０１によって各々収納保持される。
【００１９】
携帯型機器収納ケース５１は、携帯型プリンタ１５１を縦長に収納保持する配列状態をなす第１の形態と（図１（ａ））、携帯型プリンタ１５１を横長に収納保持する配列状態をなす第２の形態と（図１（ｂ））に各部を組み合わせることが可能である。図１（ａ）に示す第１の形態では、縦長にしたプリンタ用ケース１０１の側方にハンディーターミナル収納ケース２０１を配置し、その下方にロール状用紙収納ケース３０１を配置する。図１（ｂ）に示す第２の形態では、横長にしたプリンタ用ケース１０１の側方にハンディーターミナル収納ケース２０１を配置し、別の側方にロール状用紙収納ケース３０１を配置する。これらの第１の形態と第２の形態とでは、プリンタ用ケース１０１に対するハンディーターミナル収納ケース２０１の取り付け位置が変更されるのに対して、プリンタ用ケース１０１に対するロール状用紙収納ケース３０１の取り付け位置は変更されない。尚、ハンディーターミナル収納ケース２０１は、プリンタ用ケース１０１に対する取り付け位置が上記何れの形態であっても、その上部（ハンディーターミナル挿入開口部）がプリンタ用ケース１０１の上面より上方には位置することはない。
【００２０】
以下、収納対象携帯型機器である携帯型プリンタ１５１とハンディーターミナル２５１とに関し説明した後、携帯型機器収納ケース５１について詳細に説明する。
【００２１】
図２は、本実施の形態における携帯型プリンタである携帯型プリンタ１５１の斜視図である。携帯型プリンタ１５１は、直六面体の一つである直方体を全体の外観概略形状とするメインボディ１５２を主体に構成されている。このメインボディ１５２の全体外観概略形状を成す直方体は、互いに垂直な三つの面が大中小という三段階の異なった大きさの三種類の長方形によって形成されており、残りの三面は夫々相対して平行な面と同じ大きさの長方形によって構成されている。
【００２２】
この直方体の八つの頂点部分、所謂角部は、面取りが為されている。このように角部が面取りされていると、携帯型プリンタ１５１をプリンタ用ケース１０１に収納したり当該ケースから取り出したりする際に当該プリンタが当該ケースに引っ掛かったりすることを防止できるので、携帯型プリンタ１５１をプリンタ用ケース１０１に収納したり当該ケースから取り出したりする作業が容易となる。更に、前記直方体において、大きさが一番大きい長方形の短辺であって、大きさが一番小さい長方形の長辺であって、かつ互いに平行な四つの辺部分も、角張っておらず、曲面状に面取りが為されており、これにより上記角部と同様な効果を奏する。
【００２３】
そして、このような直方体を全体の外観概略形状とするメインボディ１５２において、一番大きい長方形から成って互いに平行な二つの面のうち、携帯型プリンタ１５１が作業者によって携帯されているときに作業者の胴体と正対する側に位置する方の一面を、本実施の形態における携帯型プリンタの“背面”と称し、この携帯型プリンタの“背面”と平行な他方の面を、本実施の形態における携帯型プリンタの“正面”と称する。
【００２４】
また、二番目に大きい長方形から成って互いに平行な二つの面のうち、携帯型プリンタ１５１が携帯型機器収納ケース５１によって横長状態で収納保持されて作業者の腹部正面付近に位置しているときにその作業者が自分の腹部正面付近に位置している携帯型プリンタ１５１の方に視線を向けた際に当該作業者の視野にて捉えられる方の一面を、本実施の形態における携帯型プリンタの“上面”と称し、この携帯型プリンタの“上面”と平行な他方の面を、本実施の形態における携帯型プリンタの“下面”と称する。
【００２５】
更に、一番小さい長方形から成って互いに平行な二つの面のうち、携帯型プリンタ１５１が携帯型機器収納ケース５１によって横長状態で収納保持されて作業者の腹部正面付近に位置しているときにその作業者が自分の腹部正面付近に位置している携帯型プリンタ１５１の方に視線を向けた際に携帯型プリンタ１５１の“上面”の向かって右手側に位置する方の一面を、本実施の形態における携帯型プリンタの“右側面”と称し、この携帯型プリンタの“右側面”と平行な他方の面を、本実施の形態における携帯型プリンタの“左側面”と称する。
【００２６】
携帯型プリンタ１５１の“正面”のやや“左側面”側に寄った部分には、発行口１５７が設けられている。この発行口１５７は、携帯型プリンタ１５１の内部にてロール状用紙から引き出されて印字が行われた長尺状の印字済み部分を外部へと排出する開口である。この発行口１５７から排出された長尺状の印字済み部分は、携帯型プリンタ１５１の“正面”で“左側面”側へと送り出されて行く。この発行口１５７から排出された長尺状の印字済み部分は、発行口１５７の“右側面”側で印字面と対向するように当該印字面上に設けられたカッタ１５８によって切断される。カッタ１５８は、所謂固定刃で、その刃先に発行口１５７から排出された長尺状紙の印字面が人手によって当てられることで当該紙の外部露出部分（長尺状の印字済み部分）をロール状用紙から切断分離することができる。なお、発行口１５７は、メインボディ１５２に対して回動自在に取り付けられているフロントカバー１５５に穿かれている。
【００２７】
フロントカバー１５５は、携帯型プリンタ１５１の“正面”から“右側面”にかけて途切れることなく連続的に形成された大開口を開放したり閉塞したりする開閉自在な蓋体である。フロントカバー１５５によって開放されたり閉塞されたりする大開口は、携帯型プリンタ１５１の“右側面”においては、その中央部を超えて携帯型プリンタ１５１の“背面”側までは達していなく、その中央部を超えないであくまでも携帯型プリンタ１５１の“正面”側に留まっている。しかしながら、携帯型プリンタ１５１の“正面”においては、その中央部を遥かに超え、その“左側面”近傍まで達している。携帯型プリンタ１５１の“正面”において前記大開口が達していない“左側面”側の内部には、携帯型プリンタ１５１の駆動エネルギーの供給源となる電源であるバッテリを着脱自在に収納保持するバッテリ収納室が設けられている。なお、このバッテリ収納室が設けられていて前記大開口が形成されることがなかった携帯型プリンタ１５１の“正面”の“左側面”部分を、本実施の形態における携帯型プリンタでは“正面一部領域”と称する。
【００２８】
以上のような領域からなる大開口内には、印字部で印字される前のロール状用紙を転動自在に収納保持するホッパ部、このホッパ部に収納保持されているロール状用紙の外周から引き出された長尺状紙の印字面ではない裏面（ロール紙の内周側の面）に接触しながら当該長尺状紙を発行口１５７へと搬送する回転自在なプラテンローラ等が設けられている。
【００２９】
そして、このような大開口は、ロール状用紙をホッパ部に収納セットする際には、その収納入口として機能するため開放状態となり、携帯型プリンタ１５１の使用時や通常時はフロントカバー１５５によってその大部分が覆われ塞がれている。
【００３０】
前記大開口を開放したり閉塞したりするフロントカバー１５５は、携帯型プリンタ１５１の“右側面”の“正面”寄りに位置するように設けられたヒンジ１５６によって回動自在に支持されている。このヒンジ１５６は、より詳細には、前記大開口における“右側面”側の縁部上に設けられており、携帯型プリンタ１５１の“右側面”表面には全く突出していないので、上記角部や曲面のような面取り部分と同様な効果を奏する。
【００３１】
このようなヒンジ１５６によって軸支されるフロントカバー１５５の自由端部（ヒンジ１５６によって軸支されていない側の端部）は、携帯型プリンタ１５１の“右側面”より僅かながらより外側に位置する開放位置と、前記大開口における前記“正面一部領域”側の縁部上に位置する閉塞位置とのそれぞれを円周上の二点とした円弧のうち、短い方の弧である劣弧をその軌跡として移動する。
【００３２】
このようなフロントカバー１５５の自由端部の先端部分は、その両側（携帯型プリンタの“上面”側又は“下面”側）が更に先端に向かって僅かに突出し、かつその両突出部の間が僅かに凹んだ凹形状をしている。この凹状先端部分は、フロントカバー１５５が閉じられて前記大開口を閉塞状態としたときにも、前記大開口における前記“正面一部領域”側の縁部上に溝状の開口１６８を残し、フロントカバー１５５の自由端部と前記“正面一部領域”との間に僅かながらの隙間を生じさせる。
【００３３】
この溝状の開口１６８は、ロール状に巻かれた際の外周面に剥離面を有する長尺状の台紙と、この長尺状台紙の剥離面上に互いに一定間隔を以って配列貼付されたラベル型印字用紙とからなるラベルロールを前記ホッパ部に収納保持してロール状用紙として使用した場合に、前記発行口１５７において印字済みラベル型印字用紙が剥離面（外周面）から剥離された後の長尺状台紙が排出される排出口となる。尚、前記発行口１５７から発行され、その外周面であった剥離面から印字済みラベル型印字用紙が剥離される直前の状態にある印字済みラベル型印字用紙貼付状態の長尺状台紙は、カッタ１５８と対向するように設けられている台紙案内部材によってその進路を再びフロントカバー１５５内の前記大開口内へと急激に折り返す方向へと変えられる。このように発行口１５７から発行されて再びフロントカバー１５５内の前記大開口内へと送り込まれた長尺状台紙は、その剥離面の裏面（内周面であった面）をプラテンローラの円周面に接触させられながら、プラテンローラの回動に伴ってフロントカバー１５５の凹状先端部分まで送られ、当該部から再び外部へと排出される。
【００３４】
前記発行口１５７から発行された直後で未だ長尺状台紙の剥離面上に貼付されている印字済みラベル型印字用紙は、再び前記大開口内へと急激に折り返される長尺状台紙の剥離面上からその腰によって剥離させられ、発行口１５７の発行方向の延長上に設けられているラベル受け保持部１６９上へと移動し、その印字面裏の粘着面の粘着力によってラベル受け保持部１６９に貼り付いてそのまま保持される。
【００３５】
一方、前記ホッパ部に収納保持されているロール状用紙がラベルロールではなく、その外周面そのものに対して印字が行われるロール状印字用紙であった場合には、その長尺状の印字済み部分は、前記発行口１５７から排出された後に、長尺状台紙のように台紙案内部材によって再びフロントカバー１５５内の前記大開口内へと送られることはなく、上述したように前記発行口１５７から外部に排出されたままの状態となる。すなわち、この携帯型プリンタ１５１においては、ロール状用紙がラベルロールであるかロール状印字用紙であるかによって発行口１５７から排出された長尺状の紙の搬送方向（経路）が異なる。
【００３６】
また、フロントカバー１５５の長手方向中央の両端（携帯型プリンタの“上面”側又は“下面”側）には、フロントカバー１５５開閉用の一対のスライドボタン１５９が設けられ、これらのスライドボタン１５９を互いに近付き合う方向（内側）に向けてスライド移動させることによってフロントカバー１５５は開けられる。尚、携帯型プリンタ１５１においては、このスライドボタン１５９が設けられている位置より“右側面”側のフロントカバー１５５の下方内部に、前記ホッパ部が設けられている。
【００３７】
更に、携帯型プリンタ１５１のメインボディ１５２は、前記直方体の３組の面の中で中間の大きさの長方形である二つの面各々に下蓋部材１５３、上蓋部材１５４を有している。上蓋部材１５４には操作部１６０が設けられている。操作部１６０には、電源スイッチ１６１と、紙送りボタン１６２と、起動インジケータ１６３と、赤外線通信用窓１６４とが設けられている。これらのうち、起動インジケータ１６３と赤外線通信用窓１６４とは、メインボディ１５２の上面側と正面側とに跨って配置されている。携帯型プリンタ１５１は、赤外線通信用窓１６４から無線通信によるデータ送受信を実行することができる。尚、これら操作部１６０の各部は、前記大開口を閉塞している状態のフロントカバー１５５に設けられているスライドボタン１５９と凹状先端部分との間の領域の上方に位置する上面内に収まるように設けられている。
【００３８】
上蓋部材１５４における“左側面”側の端部には、バッテリカバー１６５が回動開閉自在に設けられている。バッテリカバー１６５は、フロントカバー１５５の回動支持側と反対側の端部に操作部１６０と隣接して配置されている。バッテリカバー１６５には、滑り止め機能を備えた指掛部１６６が形成されており、この指掛部１６６に指を掛けて操作部１６０とは反対側（“左側面”側、又は外側）に向けてスライドさせることで、バッテリカバー１６５とメインボディ１５２との係合状態を解除し、操作部１６０の側に位置するヒンジ１６７によって軸支されて回動開放される。
【００３９】
図３は、収納対象物であるハンディーターミナル２５１の斜視図である。ハンディーターミナル２５１は、縦長形状を有している。このようなハンディーターミナル２５１には、状態表示用インジケータ２５２と、表示器２５３と、操作部２５４とが上から順に設けられている。操作部２５４等が設けられている面と反対側の面には、バーコードや２次元データコード読取用のレーザー光が射出されたり入射するスキャナ窓が設けられている。このスキャナ窓は、状態表示用インジケータ２５２や表示器２５３の上方の裏面側に配置されている。また、操作部２５４の裏側には、駆動用充電池収納部が設けられている。更に、操作部２５４の電源投入ボタンＰＷと第５機能割当ボタンＦ５との左側面部には、赤外線通信による送受信を実行する赤外線通信部が設けられている。また、このハンディーターミナル２５１の上端部、下端部は、衝撃吸収用弾性部材によって覆われている。特に上部の衝撃吸収用弾性部材は、スキャナ窓の周囲をも囲むように覆い、物が衝突することによってスキャナ窓が破損しないように防止している。尚、このハンディーターミナル２５１は、操作部２５４が設けられている面とは反対側の面が作業者の掌によって保持され、その側面が指によって把持された状態で使用される。
【００４０】
以上、説明してきたような携帯型プリンタ１５１、ハンディーターミナル２５１夫々がプリンタ用ケース１０１、ハンディーターミナル収納ケース２０１各々に収納される。そして、これらの各ケースがロール状用紙収納ケース３０１と組み合わされて携帯型機器収納ケース５１を構成する。尚、携帯型機器収納ケース５１を構成するプリンタ用ケース１０１、ハンディーターミナル収納ケース２０１及びロール状用紙収納ケース３０１は、その全部又は一部が皮革、ナイロン等の素材を加工して作られている。
【００４１】
携帯型機器収納ケース５１は、プリンタ用ケース１０１に収納されている携帯型プリンタ１５１によって印字された印字済み部分が鉛直方向下方に向けられて発行されるような使用形態（第１の形態）と、水平方向に向けられて発行されるような使用形態（第２の形態）との何れかを作業者によって自由に選択採用される。尚、第１の形態におけるプリンタ用ケース１０１が描かれているのは、図４、図７、図９であり、第２の形態におけるプリンタ用ケース１０１が描かれているのは、図５、図８、図１０である。
【００４２】
図９、図１０は、携帯型プリンタ１５１を第１の形態、第２の形態で収納保持した状態のプリンタ用ケース１０１を正面側から見た斜視図である。
【００４３】
第１の形態においては、図９に示されるように、携帯型プリンタ１５１の使用時に一番重量が重くなるバッテリ収納室部分を鉛直方向下方側に配置した状態で収納保持することになる為、その重量バランスが良く安定した状態で携帯型プリンタ１５１を収納保持することができるという利点がある。また、携帯型プリンタ１５１で印字がなされた印字済み部分の印字面が鉛直方向上方に向いた状態で発行される為、その印字内容の確認が極めて容易であるという優れたメリットも奏する。
【００４４】
第２の形態においては、図１０に示されるように、操作部１６０やバッテリカバー１６５等が設けられている携帯型プリンタ１５１の上蓋部材１５４を鉛直方向上方側に配置した状態で収納保持することになる為、携帯型プリンタ１５１の状態確認、操作、バッテリ交換作業等のオペレーションを行い易いという利点がある。また、フロントカバー１５５を開閉させる際の方向が鉛直方向と直交する水平方向と平行となる為、フロントカバー１５５の開閉作業が行い易いというメリットがある。
【００４５】
次にプリンタ用ケース１０１に関して詳細に説明する。プリンタ用ケース１０１は、携帯型プリンタの“上面”に相当する上蓋部材１５４を覆う上カバー部材１０２と、携帯型プリンタの“下面”に相当する下蓋部材１５３を覆う下カバー部材１０３と、携帯型プリンタの“背面”に相当するメインボディ１５２の裏面を全面的に覆うメインカバー部材１０４とを、その主要部として構成されている。
【００４６】
上カバー部材１０２、下カバー部材１０３には、上蓋部材１５４、下蓋部材１５３と略同一形状で略同一の大きさか若干大きめの平たい部材が用いられている。しかして、上カバー部材１０２には、図４、図５、図８、図１０に示すように、第１の切欠部１０８や第２の切欠部１０９が形成されている。上カバー部材１０２に形成されている第１の切欠部１０８は、図１０に示されているように、収納された携帯型プリンタ１５１のメインボディ１５２の上面に配置された操作部１６０を露出させ得る位置に形成されている。したがって、この第１の切欠部１０８は、プリンタ用ケース１０１に収納されたままの携帯型プリンタ１５１の操作部１６０の操作を可能とする。
【００４７】
上カバー部材１０２に形成されている第２の切欠部１０９は、図１０に示されているように、携帯型プリンタ１５１のメインボディ１５２の上面左側面側に配置されたバッテリカバー１６５を露出させ得る位置に形成されている。したがって、この第２の切欠部１０９は、プリンタ用ケース１０１に収納されたままの携帯型プリンタ１５１のバッテリカバー１６５の開閉操作を可能とし、図示しないバッテリの交換作業を容易とする。
【００４８】
このような切欠部１０８、１０９が形成されている上カバー部材１０２に対し、下カバー部材１０３は、図４、図５、図７、図９に示されているように、切欠部や開口等が設けられていなく、収納された携帯型プリンタ１５１の下蓋部材１５３を全面的に覆い隠すようになっている。この下カバー部材１０３には、上述したような第１の形態時に、ハンディーターミナル収納ケース２０１が装着される。そこで、下カバー部材１０３の外側の面には、ハンディーターミナル収納ケース２０１を着脱自在に保持する第１のハンディーターミナル保持部１１５が設けられている。
【００４９】
下カバー部材１０３がその外面に備えている第１のハンディーターミナル保持部１１５は、下カバー部材１０３に縫い付け等の手法で固定された第１のマジックテープ（マジックテープは登録商標）１１５ａと、この第１のマジックテープ１１５ａと下カバー部材１０３との間に固定された第１のストラップベルト１１５ｂとからなる。第１のマジックテープ１１５ａは、下カバー部材１０３の中央部から長手方向に沿うように設けられている。この第１のマジックテープ１１５ａと第１のストラップベルト１１５ｂとは、互いに直交し合うように設けられている。
【００５０】
また、下カバー部材１０３の外面において第１のハンディーターミナル保持部１１５が設けられている端部とは反対側の端部には、プリンタ用ケース１０１を作業者の肩や首から吊り上げる際に使われるストラップ１１３が着脱自在に取り付けられるフック１１４が設けられている。この下カバー部材１０３の外面に設けられたフック１１４は、上述したような第１の形態でプリンタ用ケース１０１を吊り下げる際に使われる。尚、この下カバー部材１０３の外面に設けられたフック１１４と対を成すフック１１４が、図４、図５、図８、図１０に示されているように、上カバー部材１０２の対応する箇所にも設けられている。
【００５１】
以上のように構成された上カバー部材１０２、下カバー部材１０３の縁部分は、夫々メインカバー部材１０４の上下縁に連結されている。メインカバー部材１０４は、携帯型プリンタの“背面”に相当するメインボディ１５２の裏面を略全面的に覆い、更に、抜け止め部１０５と収納保持部１０６とを有している。
【００５２】
抜け止め部１０５は、図９、図１０に示されているように、メインボディ１５２の裏面（背面）から正面へと向かって回り込み、ヒンジ１５６が設けられている一側面（右側面）のヒンジ１５６設置位置付近にまで達している。このヒンジ１５６は、前述したように、メインボディ１５２の一側面（右側面）の中央部よりもやや前面（正面）側に位置付けて設けられていることから、これに伴って抜け止め部１０５は、メインボディ１５２の一側面（右側面）の中央部を超えたやや前面（正面）側の位置まで右側面を覆うことになる。その一方で、ヒンジ１５６によって回動自在に軸支されているフロントカバー１５５は、抜け止め部１０５によって覆われることはない。
【００５３】
収納保持部１０６は、メインボディ１５２の一側面（右側面）と反対側の他側面（左側面）を略全面的に覆い、更にメインボディ１５２の正面左側面側にまで回り込んでいる。この収納保持部１０６がメインボディ１５２の正面左側面側において達する位置は、メインボディ１５２の正面に設けられた前記大開口の“右側面”側の縁部に臨む手前側である。したがって、この収納保持部１０６は、メインボディ１５２の正面に設けられた前記大開口を閉塞しているフロントカバー１５５の凹状先端部分にも達しない。尚、この収納保持部１０６は、メインボディ１５２のバッテリ収納室が設けられている部分を略全面的に保持することになる。しかしながら、収納される携帯型プリンタ１５１のバッテリカバー１６５に対応する箇所は覆わないで開放状態を保っている。
【００５４】
以上のようなメインカバー部材１０４の構造により、抜け止め部１０５と収納保持部１０６との間には、開口部１０７が形成される。この開口部１０７は、プリンタ用ケース１０１に収納されたままの携帯型プリンタ１５１のフロントカバー１５５の全体を外部に全て曝け出すと共に、携帯型プリンタ１５１の正面のうちフロントカバー１５５の周囲をも開放状態とする。また、この開口部１０７には、上カバー部材１０２に形成されている第１の切欠部１０８が連絡している。
【００５５】
抜け止め部１０５と収納保持部１０６との間に形成されている開口部１０７は、プリンタ用ケース１０１に携帯型プリンタ１５１が収納された状態のまま、フロントカバー１５５を開閉操作するために不可欠である。その反面、開口部１０７が大きくなりすぎると携帯型プリンタ１５１の保持機能が低下する。そこで、本実施の形態では、収納されている携帯型プリンタ１５１の閉塞状態のフロントカバー１５５に設けられているスライドボタン１５９より右側面側に位置する開口部１０７の部分を、上カバー部材１０２と下カバー部材１０３との間に掛け渡される抜け止めストラップ１１０によって覆い、収納されている携帯型プリンタ１５１の正面方向への動きを規制している。この抜け止めストラップ１１０は、その一端が下カバー部材１０３に固定され、他端に雌スナップ１１１を有する。この雌スナップ１１１が着脱自在に固定される雄スナップ１１２は、上カバー部材１０２に設けられている（図６、図８参照）。この雄スナップ１１２に雌スナップ１１１を嵌めこむことにより、抜け止めストラップ１１０が開口部１０７の部分で上カバー部材１０２と下カバー部材１０３との間に掛け渡される。そして、この抜け止めストラップ１１０は、プリンタ用ケース１０１において一番面積が大きく作業空間に対向し作業者が作業中に無意識のうちに触れ易い正面ではなく、作業者の腹部上に近接配置され作業者が意識して触れなければならない面となっている上カバー部材１０２に着脱自在な留め部を設けたので、その着脱自在な留め部が作業中に外れてしまうという危険性を少なくすることができる。  
また、プリンタ用ケース１０１は、肩掛け用のストラップ１１３を着脱自在に取り付けるための一対のフック１１４を二組有している。
【００５６】
一組は、図４に示すように、抜け止め部１０５を鉛直方向上方側に、収納保持部１０６を鉛直方向上方側に位置させてプリンタ用ケース１０１を縦長に保持する第１の形態時にストラップ１１３を抜け止め部１０５より上方に位置させるものである。このような位置にストラップ１１３を位置させる一組のフック１１４を構成する個々のフックは、上カバー部材１０２、下カバー部材１０３夫々の抜け止め部１０５側にそれぞれ固定されている。
【００５７】
もう一組は、図５に示すように、上カバー部材１０２を鉛直方向上方側に、下カバー部材１０３を鉛直方向上方側に位置させてプリンタ用ケース１０１を横長に保持する第２の形態時にストラップ１１３をプリンタ用ケース１０１の上カバー部材１０２より上方に位置させるものである。このような位置にストラップ１１３を位置させる一組のフック１１４を構成する個々のフックは、抜け止め部１０５、収納保持部１０６夫々の上カバー部材１０２側に固定されている。
【００５８】
更に、プリンタ用ケース１０１は、ハンディーターミナル用ケース２０１を着脱自在に保持する構造を有している。図１に基づいて前述したように、第１の形態時には、縦長にしたプリンタ用ケース１０１の側方（下カバー部材１０３の脇）にハンディーターミナル収納ケース２０１が配置され（図１（ａ））、第２の形態時には、横長にしたプリンタ用ケース１０１の側方（抜け止め部１０５の脇）にハンディーターミナル収納ケース２０１が配置される（図１（ｂ））。そこで、プリンタ用ケース１０１は、第１の形態時にハンディーターミナル収納ケース２０１を下カバー部材１０３に着脱自在に保持する第１のハンディーターミナル保持部１１５と、第２の形態時にハンディーターミナル収納ケース２０１を抜け止め部１０５に着脱自在に保持する第２のハンディーターミナル保持部１１６とを有している。
【００５９】
第１のハンディーターミナル保持部１１５は、図４に示すように、下カバー部材１０３に縫い付け等の手法で固定された第１のマジックテープ１１５ａと、この第１のマジックテープ１１５ａと下カバー部材１０３との間に固定された第１のストラップベルト１１５ｂとによって形成されている。また、第２のハンディーターミナル保持部１１６は、図５に示すように、抜け止め部１０５に縫い付け等の手法で固定された第２のマジックテープ１１６ａと、この第２のマジックテープ１１６ａと抜け止め部１０５との間に固定された第２のストラップベルト１１６ｂとによって第１のハンディーターミナル保持部１１５と同様に形成されている。
【００６０】
図６は、ハンディーターミナル収納ケース２０１をその裏面側から見た斜視図である。  ハンディーターミナル収納ケース２０１は、図６に示すように、縦長の袋形状をしており、その上面にハンディーターミナル２５１を着脱自在に収納するための開口部２０２を有している。尚、この開口部２０２は、携帯型機器収納ケース５１が上述した第１、第２何れの形態時にあっても、上方に向かって開放されている。
【００６１】
この開口部２０２の大きさは、収納するハンディーターミナル２５１のスキャナ窓や表示器２５３等が設けられている最大周囲寸法よりも若干大きめになるように形成されている。また、開口部２０２の深さは、図１１に示されているように、収納するハンディーターミナル２５１の高さと略同じ大きさとなるように形成されていて、収納したハンディーターミナル２５１の保護と取り出し易さとのバランスが図られている。
【００６２】
このような開口部２０２は、プリンタ用ケース１０１に設けられているハンディーターミナル保持部１１５又は１１６と対向する長方形状の平面板状部材と、この平面板状部材の厚みよりは薄くその三方に縫い付けられたポケット状部材とによって形成されている。ハンディーターミナル収納ケース２０１を構成する平面板状部材は、外部から加えられた力に抗してその平面性を或る程度維持することができる程度の厚みを有し、ポケット状部材が取り付けられている面とは反対側の面がプリンタ用ケース１０１に設けられているハンディーターミナル保持部１１５又は１１６と対向する。そして、このハンディーターミナル保持部１１５又は１１６と対向する面には、マジックテープ２０３が縫い付け等の手法で固定されている。このマジックテープ２０３は、第１のマジックテープ１１５ａにも第２のマジックテープ１１６ａにも着脱自在に接着する構造を有している。
【００６３】
また、ハンディーターミナル収納ケース２０１を構成する平面板状部材は、開口部２０２を臨むように上方に向かって延長された延長部分を有する。このように開口部２０２に臨むように形成された延長部分は、開口部２０２内に落とし込まれて収納されようとしているハンディーターミナル２５１の下端部を開口内へと案内するので、ハンディーターミナルの収納作業を容易にする。尚、平面状部材の上方延長部分の上端部は、携帯型機器収納ケース５１が上述した第１、第２何れの形態時にあっても、プリンタ用ケース１０１の鉛直方向上方に位置する抜け止め部１０５又は上カバー部材１０２より上方に位置することはない。このように構成すると、喩えハンディーターミナル収納ケース２０１に収納されているハンディーターミナル２５１の上端部が不意に開口部２０２から僅かに飛び出てしまうようなことがあっても、その不意に飛び出てしまった上端部が作業者の身体などに触れることをプリンタ用ケース１０１によって避けることができる。したがって、作業者の身体等の接触によるハンディーターミナル２５１のプリンタ用ケース１０１から更なる飛び出しを防ぐことができる。
【００６４】
他方、ハンディーターミナル収納ケース２０１を構成するポケット状部材は、図４及び図５に示すように、その正面にベルト通し２０４が縫い付け等の手法で固定されている。このベルト通し２０４には、プリンタ用ケース１０１に設けられているストラップベルト１１５ｂ又は１１６ｂが通される。尚、ベルト通し２０４が形成されているポケット状部材は、可撓性を有する材質からなり、ベルト通し２０４に通されたストラップベルト１１５ｂ又は１１６ｂが締められていくに連れて収納しているハンディーターミナル２５１表面との接触面積を増すことができ、その接触摩擦力によって収納しているハンディーターミナル２５１の開口部２０２からの飛び出しを更に防止することができる。このようなハンディーターミナル収納ケース２０１内にハンディーターミナル２５１が収納された状態を正面側から見た斜視図を図１１に示す。
【００６５】
以上のような構成のハンディーターミナル収納ケース２０１をプリンタ用ケース１０１の側方（下カバー部材１０３の脇）に配置し、上述した第１の形態の携帯型機器収納ケース５１とする作業手順は、次の通りである。先ず、第１のハンディーターミナル保持部１１５の第１のマジックテープ１１５ａにハンディーターミナル収納ケース２０１の裏面側に設けられたマジックテープ２０３を吸着させる。次に、第１のハンディーターミナル保持部１１５の第１のストラップベルト１１５ｂをハンディーターミナル収納ケース２０１の正面側に設けられたベルト通し２０４に通して締め付ける。
【００６６】
これに対して、ハンディーターミナル収納ケース２０１をプリンタ用ケース１０１の側方（抜け止め部１０５の脇）に配置し、上述した第２の形態の携帯型機器収納ケース５１とする作業手順は、次の通りである。第２のハンディーターミナル保持部１１６の第２のマジックテープ１１６ａにハンディーターミナル収納ケース２０１の裏面側に設けられたマジックテープ２０３を吸着させる。第２のハンディーターミナル保持部１１６の第２のストラップベルト１１６ｂをハンディーターミナル収納ケース２０１の正面側に設けられたベルト通し２０４に通して締め付ける。
【００６７】
次に、プリンタ用ケース１０１の収納保持部１０６に配置されるロール状用紙収納ケース３０１に関して説明する。ロール状用紙収納ケース３０１は、全体形状が円筒状に形成されており、その上面は全面的に開放されていて円形状の開口部３０３が形成されている。この開口部３０３と対向し平行な底面は、その中央部に開口部３０３より直径が大幅に小さい円形状の開口部が形成されていてその円周部を塞いだ円板によって構成されている。
【００６８】
ロール状用紙収納ケース３０１の高さは、収納する予備用のロール状用紙３５１の幅よりも大きく、収納したロール状用紙３５１の頭が開口部３０３から飛び出ることはない。
また、ロール状用紙収納ケース３０１の径は、収納する予備用のロール状用紙３５１の径よりも大きくなるように形成されている。これに対し、底面の中央部に形成されている開口部は、作業者の指一本以上が入る程度の大きさとなるように形成されており、その開口部の周りに形成されている円周部によって収納したロール状用紙３５１が保持される為、収納したロール状用紙３５１は底面の開口部から抜け出すようなことはない。
【００６９】
ロール状用紙収納ケース３０１の外周面には、その高さと粗同じ長さでのマジックテープ３０２と、このマジックテープ３０２が設けられた位置と左右９０度ずつずれた円周上の位置に設けられ開口部３０３の中心を通るように架け渡されるベルトの一端部を固定する固定部材と、当該ベルトの他端部を着脱自在に止めるボタンとが設けられている。
【００７０】
このように構成のロール状用紙収納ケース３０１において、開口部３０３は、ロール状用紙収納ケース３０１に収納される予備用のロール状用紙３５１を入れたり、ロール状用紙収納ケース３０１に収納されている予備用のロール状用紙３５１を出したりする際の入口、出口となる。予備用のロール状用紙３５１をロール状用紙収納ケース３０１内に収納する際には、予備用のロール状用紙３５１が開口部３０３から落とし込まれる。そして、収納したロール状用紙３５１が開口部３０３から飛び出てしまうことを防ぐ為、一端が外周面に固定されているベルトを開口部３０３の中心を通るように掛け渡し、そのベルトの他端を外周面の反対側に設けられているボタンに留める。
【００７１】
一方、ロール状用紙収納ケース３０１内に収納されている予備用のロール状用紙３５１を取り出す際には、先ず、開口部３０３に掛け渡されているベルトの一端を外周面から外し、開口部３０３を開放する。そして、底面に形成されている開口部から指を入れる。底面の開口部からロール状用紙収納ケース３０１内に入れられた指は、ロール状用紙３５１の幅とロール状用紙収納ケース３０１の高さとの差よりも大きい距離だけ、予備用のロール状用紙３５１の底面を開口部３０３に向けて押し出すことで、ロール状用紙３５１の円周面の一部を開口部３０３から突出させる。そして、このようにして開口部３０３から突出させられたロール状用紙３５１の円周面部分を摘まみ出すことで、ロール状用紙３５１をロール状用紙収納ケース３０１から完全に引っ張り出すことができる。
【００７２】
このような構成を有するロール状用紙収納ケース３０１のプリンタ用ケース１０１に対する取り付け位置は、第１の形態であろうと第２の形態であろうとも変更されず、いずれの形態であっても、収納保持部１０６に保持される。そこで、プリンタ用ケース１０１は、ロール状用紙収納ケース３０１を収納保持部１０６に着脱自在に保持するロール状用紙収納ケース保持部１１７を有している。ロール状用紙収納ケース保持部１１７は、図５に示すように、収納保持部１０６に縫い付け等の手法で固定された第３のマジックテープ１１７ａと、この第３のマジックテープ１１７ａと収納保持部１０６との間に固定された第３のストラップベルト１１７ｂとによって形成されている。第３のマジックテープ１１７ａは、ロール状用紙収納ケース３０１の外周面の一部に設けられたマジックテープ３０２を着脱自在に接着する構造を有している。
【００７３】
そこで、ロール紙保持部１１７の第３のマジックテープ１１７ａにロール状用紙収納ケース３０１の外周面の一部に設けられたマジックテープ３０２を吸着させ、ロール紙保持部１１７の第３のストラップベルト１１７ｂを締め付けることで、ロール状用紙収納ケース３０１は、ロール紙保持部１１７に保持される。尚、ロール紙保持部１１７に保持されるロール状用紙収納ケース３０１の開口部３０３は、第１の形態においては真横に向けられ、第２の形態においては上方に向けられる。
【００７４】
図７は、第１の形態におけるプリンタ用ケース１０１を裏面側から見た斜視図である。プリンタ用ケース１０１の裏面には、ユーザが腰に締めている図示しないベルトにプリンタ用ケース１０１を取り付けるためのベルトホルダ１１８が固定されている。ベルトホルダ１１８は、その四隅を固定具１１９によってプリンタ用ケース１０１の裏面に止められることにより固定されている。したがって、ベルトホルダ１１８は、図７に示す状態で縦横（抜け止め部１０５-収納保持部１０６間の第２の形態時、下カバー部材１０３-上カバー部材１０２間の第１の形態時）いずれの方向からでもベルトを通すことが可能である。
【００７５】
図８は、第２の形態におけるプリンタ用ケース１０１を裏面側から見た斜視図である。そこで、プリンタ用ケース１０１が第１の形態（図７）と第２の形態（図８）とのいずれに維持されている場合であっても、ベルトホルダ１１８にユーザが腰に締めているベルトを通し、プリンタ用ケース１０１をユーザの腰に装着することが可能である。このようなベルトホルダ１１８によるプリンタ用ケース１０１の保持は、ベルト装着が普通の男性作業員にとって好適なものである。これに対し、ストラップ１１３によるプリンタ用ケース１０１の保持は、ベルト装着率が殆ど皆無である女性作業員にとって好適なものであり、例えば女性が多く働く流通小売業の小売店舗においては、商品陳列棚の前で値引きラベル等の発行を行って、この値引きラベル等を対象商品に対して貼り付けるような作業時に携帯型プリンタの最適な保持手段となる。
【００７６】
このような構成において、プリンタ用ケース１０１に携帯型プリンタ１５１を収納する際には、先ず開口部１０７上に架け渡されている抜け止めストラップ１１０の嵌着をを外して開口部１０７を全面的に開放し、この開口部１０７の斜め上方から携帯型プリンタ１５１におけるフロントカバー１５５のヒンジ１５６とは反対側の端部を開口部１０７へと進入させてからそのまま収納保持部１０６へと挿入し、携帯型プリンタ１５１におけるフロントカバー１５５のヒンジ１５６が設けられている端部をプリンタ用ケース１０１の奥に位置しているメインカバー部材１０４へと向けて正面から押し込む。これにより、携帯型プリンタ１５１におけるフロントカバー１５５のヒンジ１５６の側の端部が抜け止め部１０５に抜け止めされた状態となる。この状態で、抜け止めストラップ１１０の雌スナップ１１１を雄スナップ１１２に嵌め込む。これにより、プリンタ用ケース１０１に携帯型プリンタ１５１が装着される。このように、本実施の形態によれば、大きく開いた開口部１０７から携帯型プリンタ１５１を着脱自在に収納することができ、収納後の携帯型プリンタ１５１を収納保持部１０６で収納して抜け止め部１０５及び抜け止めストラップ１１０によって抜け止めすることができる。したがって、携帯型プリンタ１５１の収納作業を容易にすることができ、収納作業が容易であるにも拘らず収納した携帯型プリンタ１５１の脱落を確実に防止することができる。
【００７７】
また、プリンタ用ケース１０１に収納されている携帯型プリンタ１５１のロール状用紙を交換する際には、フロントカバー１５５の正面に架け渡されている抜け止めストラップ１１０の嵌着を外してフロントカバー１５５の正面を全面的に開放し、フロントカバー１５５のスライドボタン１５９をスライド移動させてフロントカバー１５５を開け、フロントカバー１５５によって閉塞されていたホッパ部を開放する。そして、ロール状用紙を交換した後には、これとは逆の手順でホッパ部をフロントカバー１５５によって閉塞する。
【００７８】
そして、携帯型プリンタ１５１をプリンタ用ケース１０１から取り出す際には、やはり抜け止めストラップ１１０の嵌着を外して開口部１０７を全面的に開放し、この開口部１０７と連絡している第１の切欠部によって露呈されている携帯型プリンタ１５１の操作部１６０に指を添えながら、先ず携帯型プリンタ１５１の上蓋部材１５４側の背面をプリンタ用ケース１０１のメインカバー部材１０４から離すように引き起こし、この引き起こしによって抜け止め部１０５から外れた携帯型プリンタ１５１の上蓋部材１５４側の背面部分とその正面側を更に把持し、そのまま収納保持部１０６によって保持されている端部を開口部１０７から引き上げるようにして携帯型プリンタ１５１をプリンタ用ケース１０１から取り出す。このように携帯型プリンタ１５１をプリンタ用ケース１０１から取り出す際には、開口部１０７と連絡している第１の切欠部によって露呈されている携帯型プリンタ１５１の操作部１６０を取り外しの取っ掛かりとすることができる為、携帯型プリンタ１５１をプリンタ用ケース１０１とのサイズを粗同じ大きさとした場合にも、プリンタ用ケース１０１から携帯型プリンタ１５１を取り出す作業が非常に手際良く行え、その作業性が高い。
【００７９】
なお、本実施の形態においては、上カバー部材１０２と下カバー部材１０３とメインカバー部材１０４とを別部材とし、それらを連結してプリンタ用ケース１０１を構成したが、実施に際しては、上カバー部材１０２と下カバー部材１０３とメインカバー部材１０４とは連結された一つ又は複数の部材によって形成されても良い。
【図面の簡単な説明】
【００８０】
【図１】本発明に係る携帯型機器収納ケースの二通りの使用形態をそれぞれ示す模式図である。
【図２】収納対象物である携帯型プリンタの斜視図である。
【図３】収納対象物であるハンディーターミナルの斜視図である。
【図４】第１の形態における携帯型機器用収納ケース全体の斜視図である。
【図５】第２の形態における携帯型機器用収納ケース全体の斜視図である。
【図６】ハンディーターミナル用ケースを裏面側から見た斜視図である。
【図７】第１の形態におけるプリンタ用ケースを裏面側から見た斜視図である。
【図８】第２の形態におけるプリンタ用ケースを裏面側から見た斜視図である。
【図９】第１の形態における携帯型プリンタが収納された状態でのプリンタ用ケースを正面側から見た斜視図である。
【図１０】第２の形態における携帯型プリンタが収納された状態でのプリンタ用ケースを正面側から見た斜視図である。
【図１１】ハンディーターミナルが収納された状態でのハンディーターミナル用ケースを正面側から見た斜視図である。
【符号の説明】
【００８１】
１０２…上カバー部材，１０３…下カバー部材，１０４…メインカバー部材，１０５…抜け止め部，１０６…収納保持部，１０８…第１の切欠部，１０９…第２の切欠部，１１０…抜け止めストラップ，１１３…ストラップ，１１４…フック，１１５…第１のハンディーターミナル保持部，１１６…第２のハンディーターミナル保持部，１１７…ロール紙保持部，１５１…携帯型プリンタ，１５２…メインボディ，１５５…フロントカバー，１５７…発行口，１６０…操作部，１６５…バッテリカバー，２０１…ハンディーターミナル用ケース，２０２…上面開口部（開口部），２５１…ハンディーターミナル，３０１…ロール紙用ケース，３０３…一面開口部（開口部），３５１…ロール紙
【図１】
2007167281.tif 000003
【図２】
2007167281.tif 000004
【図３】
2007167281.tif 000005
【図４】
2007167281.tif 000006
【図５】
2007167281.tif 000007
【図６】
2007167281.tif 000008
【図７】
2007167281.tif 000009
【図８】
2007167281.tif 000010
【図９】
2007167281.tif 000011
【図１０】
2007167281.tif 000012
【図１１】
2007167281.tif 000013